(57)【要約】【課題】回転軸の回転規制を確実に行うことが可能であると共に、長期に亘って良好な位置決め機能を発揮することが可能な日射遮蔽装置を提供する。【解決手段】回転軸２５に対して一体的に回転する嵌合体６０と、回転軸２５に対して回転自在に取り付けられると共に、嵌合体６０に隣接して配置される回転体７０と、内部空間Ｓに嵌合体６０および回転体７０が収納されるケース体８０，９０とを具備し、嵌合体６０には第１係合部６４が設けられ、回転体７０には第２係合部７５および第３係合部７７が設けられ、ケース体８０，９０には第４係合部８３が設けられている。回転軸２５の回転によって回転体７０に対して嵌合体６０が相対的に回転して、第１係合部６４は第２係合部７５と衝突し、その衝突後に回転体７０は嵌合体６０と共に回転すると共に、第３係合部７７が第４係合部８３と衝突した場合には、第４係合部８３と干渉する向きへの回転体７０の回転が規制される。【選択図】図１
2014001534.tif 000002
【特許請求の範囲】
【請求項１】
操作部位での操作に従って回転させることが可能な回転軸と、
前記回転軸と共に一体的に回転する状態で当該回転軸に取り付けられる嵌合体と、
前記回転軸に対して回転自在に取り付けられると共に、前記嵌合体に隣接して配置される回転体と、
内部空間を有すると共に、この内部空間に前記嵌合体および前記回転体が収納されるケース体と、
を具備し、
前記嵌合体には第１係合部が設けられ、前記回転体には第２係合部および第３係合部が設けられ、前記ケース体には第４係合部が設けられ、
前記回転軸の回転によって前記回転体に対して前記嵌合体が相対的に回転する場合に、前記第１係合部は前記第２係合部と衝突可能に設けられていて、その衝突後に前記回転体は前記嵌合体と共に回転すると共に、
前記第３係合部が前記第４係合部と衝突した場合には、前記第４係合部と干渉する向きへの前記回転体の回転が規制される、
ことを特徴とする日射遮蔽装置。
【請求項２】
請求項１記載の日射遮蔽装置であって、
前記嵌合体には、摺動部が設けられ、この摺動部には凸部および凹部が設けられ、前記凸部は前記凹部よりも前記回転軸の回転中心から突出して設けられる、
ことを特徴とする日射遮蔽装置。
【請求項３】
請求項２記載の日射遮蔽装置であって、
前記摺動部には、付勢部材によって付勢力を及ぼされた状態で摺動部材が押し付けられる、
ことを特徴とする日射遮蔽装置。
【請求項４】
請求項３記載の日射遮蔽装置であって、
前記凸部は少なくとも一対設けられていると共に、前記回転体が前記嵌合体と共に回転する場合には、前記摺動部材が前記凸部を乗り越えてクリック感を生じさせた後に前記第３係合部が前記第４係合部と衝突して前記回転軸の回転位置の規制がされる、
ことを特徴とする日射遮蔽装置。
【請求項５】
請求項４記載の日射遮蔽装置であって、
前記回転軸の回転に伴って向きを変化させることが可能な複数のスラットがコード部材を介して支持されていて、
前記凹部は、前記嵌合体の周方向に沿って少なくとも３つ設けられていて、
前記３つの凹部には、前記スラットが全開位置となる際に前記摺動部材が位置するものと、前記スラットが第１の全閉位置となる際に前記摺動部材が位置するものと、前記スラットが前記第１の全閉位置とは反対の位置である第２の全閉位置となる際に前記摺動部材が位置するもの、とが存在する、
ことを特徴とする日射遮蔽装置。
【請求項６】
請求項３から５のいずれか１項に記載の日射遮蔽装置であって、
前記摺動部材は、前記ケース体に収納され、
前記摺動部材は、前記嵌合体の回転に伴って前記摺動部へ摺動しながら前記ケース体内で前記嵌合体の径方向に移動する、
ことを特徴とする日射遮蔽装置。
【請求項７】
請求項１から６のいずれか１項に記載の日射遮蔽装置であって、
前記嵌合体には前記第１係合部に対応する周状突起部が設けられ、
前記ケース体には前記第４係合部に対応する規制突起部が設けられ、
前記回転体には前記周状突起部と衝突すると共に前記第２係合部に対応する第１凸部が設けられると共に、前記規制突起部と衝突すると共に第３係合部に対応する第２凸部が設けられている、
ことを特徴とする日射遮蔽装置。
【請求項８】
操作部位での操作に従って回転させることが可能な回転軸と、
前記回転軸と共に一体的に回転する状態で当該回転軸に取り付けられる嵌合体と、
内部空間を有すると共に、この内部空間に前記嵌合体が収納されるケース体と、
を具備し、
前記嵌合体には第１係合部が設けられ、前記ケース体にはケース側係合部が設けられ、
前記回転軸の回転によって前記嵌合体が前記ケース体に対して相対的に回転する場合に、前記第１係合部は前記ケース側係合部と衝突可能に設けられていて、その衝突によって前記第１係合部が前記ケース側係合部と干渉する向きへの前記回転体の回転が規制され、
前記嵌合体には、摺動部が設けられ、この摺動部には凸部および凹部が設けられ、前記凸部は前記凹部よりも前記回転軸の回転中心から突出して設けられると共に、
前記摺動部には、付勢部材によって付勢力を及ぼされた状態で摺動部材が押し付けられる、
ことを特徴とする日射遮蔽装置。
【発明の詳細な説明】
【技術分野】
【０００１】
本発明は、日射遮蔽装置に関する。
【背景技術】
【０００２】
日射遮蔽装置の一種である横型ブラインドは、一般に、ヘッドボックスからラダーコードを介して多数のスラットが吊り下げられているが、かかる横型ブラインドでは、スラットの角度を調節するための機構を備えるのが通常である。そのような横型ブラインドとしては、たとえば特許文献１および特許文献２に示すものがある。特許文献１に示す横型ブラインドでは、スリーブに設けられている突起がボールに当接することにより、スリーブが取り付けられている回転軸の回転を規制する。しかしながら、ボールはボール収納部に収納され、そのボール収納部内をボールが移動可能とすることにより、回転軸が３６０度以上回転することを可能としている。
【０００３】
また、特許文献２に示す横型ブラインドでは、回転軸に取り付けられる回転体の延長部は、ケースの円形開口に位置していて、その円形開口には凹凸部が設けられている。延長部には薄壁部分が設けられ、その薄壁部分には突起が設けられ、その突起が凹凸部に位置している。このような構成とすることで、突起は凹凸部の凸部と干渉しながら回転し、それによって回転体は所定角度毎に抵抗を受け、それがクリック感となって操作棒を介して操作者に与えられる。
【先行技術文献】
【特許文献】
【０００４】
【特許文献１】実用新案登録第２５６０４６４号公報
【特許文献２】特許第３８０５６２６号公報
【発明の概要】
【発明が解決しようとする課題】
【０００５】
ところで、特許文献１に示す構成では、突起が円形中空部を支障なく回転するためには、円形中空部の内壁面と突起との間に若干の隙間を必要とするが、その隙間が大きすぎると、ボールがボール収納部から外れて、その隙間に入り込んで、いわばボールが噛んでしまう状況が発生する可能性がある。さらに、ボールは、ボール収納部の内壁面と、突起の付根側の延長部の外周面との間で、転動可能に位置させる必要があるが、その際にも、突起とボール収納部との間の隙間が大きすぎると、突起の先端がボールに押し付けられる等してしまい、いわばボールが噛んでしまう状況が発生する可能性がある。
【０００６】
特に、突起はボールのうち回転軸寄り（回転中心寄り）の部分に当接する一方で、ボール収納部の端部は、ボールのうち回転軸から離れる側（回転中心から離れる側）に当接する。このように、突起とボール収納部の端部とが、ボールに対して当接する部位は、ラジアル方向で異なっていて、少しの隙間の差によってボールとの噛み合いが生じやすいものとなっている。
【０００７】
また、特許文献２に示す構成では、長期に亘って使用するうちに薄壁部分が劣化してしまい、薄壁部分によって生じるクリック感が低下する虞がある。そのため、所望のクリック感が得られなくなることによって、位置決めの機能が低下する虞がある。
【０００８】
本発明は上記の事情にもとづきなされたもので、その目的とするところは、回転軸の回転規制を確実に行うことが可能であることと、長期に亘って良好な位置決め機能を発揮することのうち少なくとも一方を達成可能な日射遮蔽装置を提供しよう、とするものである。
【課題を解決するための手段】
【０００９】
上記課題を解決するために、本発明の第１の観点によると、操作部位での操作に従って回転させることが可能な回転軸と、回転軸と共に一体的に回転する状態で当該回転軸に取り付けられる嵌合体と、回転軸に対して回転自在に取り付けられると共に、嵌合体に隣接して配置される回転体と、内部空間を有すると共に、この内部空間に嵌合体および回転体が収納されるケース体と、を具備し、嵌合体には第１係合部が設けられ、回転体には第２係合部および第３係合部が設けられ、ケース体には第４係合部が設けられ、回転軸の回転によって回転体に対して嵌合体が相対的に回転する場合に、第１係合部は第２係合部と衝突可能に設けられていて、その衝突後に回転体は嵌合体と共に回転すると共に、第３係合部が第４係合部と衝突した場合には、第４係合部と干渉する向きへの回転体の回転が規制される、ことを特徴とする日射遮蔽装置が提供される。
【００１０】
また、本発明の他の側面は、上述の発明において、嵌合体には、摺動部が設けられ、この摺動部には凸部および凹部が設けられ、凸部は凹部よりも回転軸の回転中心から突出して設けられる、ことが好ましい。
【００１１】
さらに、本発明の他の側面は、上述の発明において、摺動部には、付勢部材によって付勢力を及ぼされた状態で摺動部材が押し付けられる、ことが好ましい。
【００１２】
また、本発明の他の側面は、上述の発明において、凸部は少なくとも一対設けられていると共に、回転体が嵌合体と共に回転する場合には、摺動部材が凸部を乗り越えてクリック感を生じさせた後に第３係合部が第４係合部と衝突して回転軸の回転位置の規制がされる、ことが好ましい。
【００１３】
さらに、本発明の他の側面は、上述の発明において、回転軸の回転に伴って向きを変化させることが可能な複数のスラットがコード部材を介して支持されていて、凹部は、嵌合体の周方向に沿って少なくとも３つ設けられていて、３つの凹部には、スラットが全開位置となる際に摺動部材が位置するものと、スラットが第１の全閉位置となる際に摺動部材が位置するものと、スラットが第１の全閉位置とは反対の位置である第２の全閉位置となる際に摺動部材が位置するもの、とが存在する、ことが好ましい。
【００１４】
また、本発明の他の側面は、上述の発明において、摺動部材は、ケース体に収納され、摺動部材は、嵌合体の回転に伴って摺動部へ摺動しながらケース体内で嵌合体の径方向に移動する、ことが好ましい。
【００１５】
さらに、本発明の他の側面は、上述の発明において、嵌合体には第１係合部に対応する周状突起部が設けられ、ケース体には第４係合部に対応する規制突起部が設けられ、回転体には周状突起部と衝突すると共に第２係合部に対応する第１凸部が設けられると共に、規制突起部と衝突すると共に第３係合部に対応する第２凸部が設けられている、ことが好ましい。
【００１６】
また、本発明の第２の観点によると、操作部位での操作に従って回転させることが可能な回転軸と、回転軸と共に一体的に回転する状態で当該回転軸に取り付けられる嵌合体と、内部空間を有すると共に、この内部空間に嵌合体が収納されるケース体と、を具備し、嵌合体には第１係合部が設けられ、ケース体にはケース側係合部が設けられ、回転軸の回転によって嵌合体がケース体に対して相対的に回転する場合に、第１係合部はケース側係合部と衝突可能に設けられていて、その衝突によって第１係合部がケース側係合部と干渉する向きへの回転体の回転が規制され、嵌合体には、摺動部が設けられ、この摺動部には凸部および凹部が設けられ、凸部は凹部よりも回転軸の回転中心から突出して設けられると共に、摺動部には、付勢部材によって付勢力を及ぼされた状態で摺動部材が押し付けられる、ことを特徴とする日射遮蔽装置が提供される。
【発明の効果】
【００１７】
本発明によると、日射遮蔽装置において、回転軸の回転規制を確実に行うことが可能となる。また、長期に亘って良好な位置決め機能を発揮することが可能となる。
【図面の簡単な説明】
【００１８】
【図１】本発明の各実施の形態に係る横型ブラインドの構成を示す正面図である。
【図２】各実施の形態に係る横型ブラインドの構成を示す平面図である。
【図３】各実施の形態に係る横型ブラインドの構成を示す側面図である。
【図４】第１の実施の形態に係る横型ブラインドのクリックユニットの構成を示す分解斜視図である。
【図５】第１の実施の形態に係る横型ブラインドのクリックユニットの構成を示す斜視図である。
【図６】第１の実施の形態に係る横型ブラインドのクリックユニットの構成を示す正面断面図である。
【図７】第１の実施の形態に係る横型ブラインドのクリックユニットの構成を示す側面断面図である。
【図８】第１の実施の形態に係る横型ブラインドのクリックドラムの構成を示す斜視図である。
【図９】第１の実施の形態に係る横型ブラインドの被伝達軸の構成を示す斜視図である。
【図１０】第１の実施の形態に係る横型ブラインドの下ケースの構成を示す斜視図である。
【図１１】第１の実施の形態において、クリックユニットの周状突起部、被伝達軸、下ケース（規制突起部）の位置関係を示す概略的な側面断面図である。
【図１２】第２の実施の形態に係る横型ブラインドのクリックユニットの構成を示す分解斜視図である。
【図１３】第２の実施の形態に係る横型ブラインドのクリックドラムの構成を示す斜視図である。
【図１４】変形例に係る横型ブラインドの被伝達軸（中間被伝達軸）の構成を示す斜視図である。
【発明を実施するための形態】
【００１９】
（第１の実施の形態）
以下、本発明の第１の実施の形態に係る日射遮蔽装置としての横型ブラインド１０について、図面に基づいて説明する。なお、以下の説明においては、ＸＹＺ直交座標系を用いて説明する場合があるものとし、Ｘ方向を横型ブラインド１０の長手方向とし、Ｘ１側は図１の右端側、Ｘ２側は図１の左端側とする。またＺ方向を横型ブラインドの吊り下げ方向（上下方向）とし、Ｚ１側は上側、Ｚ２側は下側とする。またＹ方向はＸ方向およびＹ方向に直交する方向とし、Ｙ１側は操作ポール４０が位置する室内側、Ｙ２側はそれとは逆側とする。
【００２０】
＜横型ブラインド１０の構成について＞
図１〜図３に示すように、横型ブラインド１０は、ヘッドボックス２０から複数本のラダーコードＲ１を介して多数のスラット３０が所定のピッチ毎に吊り下げられている。そして、ラダーコードＲ１の下端側（Ｚ２側）にはホルダ３１が取り付けられ、このホルダ３１を介してボトムレール３２に取り付けられている。なお、ラダーコードＲ１は、コード部材に対応する。
【００２１】
ボトムレール３２には、昇降コードＲ２の下端側（Ｚ２側）が固定されている。この昇降コードＲ２は、それぞれのスラット３０に設けられている不図示の挿通孔に挿通され、さらにヘッドボックス２０内および操作ポール４０内を挿通され、イコライザ４１に取り付けられる。それにより、イコライザ４１の上下動に昇降コードＲ２が連動し、多数のスラット３０を積み重ねた収納状態と、スラット３０を所定のピッチで配置する展開状態とを容易に実現可能となっている。
【００２２】
なお、昇降コードＲ２は、ヘッドボックス２０内において、ストッパ装置２１を通っている。ストッパ装置２１は、スラット３０が下方に下がる向きに昇降コードＲ２が移動するのを阻止する規制状態と、スラット３０が下方に下がる向きに昇降コードＲ２が移動するのを許容する解除状態とを切り替えることを可能としている。
【００２３】
図１および図２に示すように、ラダーコードＲ１の上端側（Ｚ１側）は、ヘッドボックス２０内に設けられる支持ドラム２２に取り付けられている。支持ドラム２２は、サポート部材２３を介してヘッドボックス２０の筐体２４に対して回転自在に取り付けられる。この支持ドラム２２の径方向中心側には不図示の嵌合孔が設けられ、この嵌合孔には回転軸２５が差し込まれ、支持ドラム２２と回転軸２５とが一体的に回転するように設けられている。
【００２４】
回転軸２５は、たとえば六角形の外周形状に設けられていて、上述の嵌合孔も六角形の孔形状に設けられている。それにより、支持ドラム２２と回転軸２５とは一体的に回転するように設けられている。
【００２５】
回転軸２５の一端側（図１において長手のＸ１側）には、ギヤボックス２６が設けられている。ギヤボックス２６には、たとえばウォームホイール等のギヤ（図示省略）が設けられていて、このウォームホイールは回転軸２５に直接的または間接的に連結されている。また、ギヤボックス２６には、たとえば、ウォームホイールと噛み合うウォーム（図示省略）が設けられていて、そのウォームは操作ポール４０（操作部位に対応）に直接的または間接的に連結されている。それにより、操作ポール４０を回転させると、その回転力がウォームおよびウォームホイールを介して回転軸２５に与えられ、さらには支持ドラム２２に与えられる。
【００２６】
＜クリックユニット５０について＞
回転軸２５の他端側（図１および図２において長手のＸ２側）には、図４〜図７に示すようなクリックユニット５０が設けられている。クリックユニット５０は、図４、図６および図７に示すように、クリックドラム６０と、被伝達軸７０と、下ケース８０と、上ケース９０と、押しバネ１００と、クラッチボール１１０と、を備えている。
【００２７】
上述の回転軸２５には、図４、図６〜図８に示すようなクリックドラム６０が取り付けられる。クリックドラム６０は、クラッチボール１１０および押しバネ１００によって、回転軸２５を回転させた際にクリック感を与える部材である。また、クリックドラム６０は、被伝達軸７０に回転を伝達させ、この被伝達軸７０を介して回転軸２５の回転範囲を規制する部材でもある。
【００２８】
クリックドラム６０は嵌合体に対応する。このクリックドラム６０には、ボール摺動部６１、フランジ部６２、円筒部６３、周状突起部６４が設けられている。それらの中で、ボール摺動部６１は、クラッチボール１１０が摺動する外周面を有している。このボール摺動部６１は、摺動部に対応する。
【００２９】
図８に示すように、ボール摺動部６１の外周面は、当該クリックドラム６０の回転中心からの半径が異なる凹凸形状に設けられている。すなわち、ボール摺動部６１には、半径が小さな最小径部６１ａがあり、その最小径部６１ａから周方向に進行すると外周面までの徐々に半径が大きくなる凸部６１ｂへと移行する。
【００３０】
ただし、ある上述のような最小径部６１ａと凸部６１ｂという観点ではなく、ある基準半径よりも大きな半径を有する凸部６１ｂ、およびその基準半径よりも小さな凹部がボール摺動部６１に設けられている、というように捉えても良い。また、ある円筒状の外周面から窪ませるように凹部を形成することによって、ボール摺動部６１を形成した、というように捉えても良い。また、最小径部６１ａは凹部に対応するものとしても良い。
【００３１】
図７および図８に示すように、最小径部６１ａと凸部６１ｂとは、周方向に沿って所定の間隔毎に設けられている。それにより、回転軸２５の回転を所定の角度毎に位置決めすることを可能としている。図７および図８に示す構成では、最小径部６１ａと凸部６１ｂとは合計８つ設けられていて、４５度毎の位置決めを可能としている。
【００３２】
クリックドラム６０には、上述のボール摺動部６１に隣接してフランジ部６２が設けられている。フランジ部６２は、ボール摺動部６１の凸部６１ｂの最大径となる部位よりも大きな半径となる外周面を有している。それにより、フランジ部６２は、下ケース８０と上ケース９０の取り付けの際に形成される内部空間Ｓを仕切ると共に、後述するフランジ凹部８２，９２にフランジ部６２が位置することで、下ケース８０と上ケース９０に対してのクリックドラム６０の位置が定められる。また、フランジ凹部８２，９２にフランジ部６２が位置することで、フランジ部６２はクリックドラム６０の軸受としての機能も有する。
【００３３】
なお、フランジ部６２の外周面は、凸部６１ｂの最大径となる部位よりも小さな半径を有していても良い。
【００３４】
図８に示すように、クリックドラム６０には円筒部６３も設けられている。その円筒部６３はボール摺動部６１に隣接しているものの、その隣接位置はフランジ部６２とは反対側となっている。円筒部６３は、クリックドラム６０の中で円筒形状に設けられる部分であり、最小径部６１ａよりも若干小さな半径の外周面を有している。この円筒部６３は、その一部が下ケース８０と上ケース９０の開口部Ａ１（図６参照）から外部に突出する。また、円筒部６３の一部は開口部Ａ１の内壁面と接触し、それにより円筒部６３はクリックドラム６０の軸受としての機能も有している。
【００３５】
ただし、円筒部６３は、最小径部６１ａと同等か、またはそれよりも大きな半径の外周面を有するものとしても良い。
【００３６】
円筒部６３には、図８に示すような位置決め凹部６３ａが設けられている。位置決め凹部６３ａは、三角形状に円筒部６３を切り欠いた部分となっている。クリックドラム６０を組み立てる際には、位置決め凹部６３ａの存在によってクリックドラム６０の周方向における位置を確認可能となっている。
【００３７】
図６および図８に示すように、フランジ部６２には、第１係合部に対応する周状突起部６４が設けられている。周状突起部６４は、フランジ部６２のうちボール摺動部６１とは反対側の面から突出して設けられている。この周状突起部６４は、被伝達軸７０のドラム側凸部７５に衝突する部分である。その衝突および他の部分の衝突により、クリックドラム６０および回転軸２５の回転範囲が規制される。
【００３８】
周状突起部６４は、クリックドラム６０の周方向の所定角度に亘って所定厚みのブロック状に設けられていて、それにより周状突起部６４は弧状に設けられている。ただし、周状突起部６４は弧状以外に、たとえば所定角度の一端と他端とを規定するように２つ以上設ける構成を採用しても良く、ピン状等のような他の形態を採用しても良い。また、周状突起部６４は９０度より小さな角度範囲に亘って設けられている（図１１参照）。具体的には、周状突起部６４は、後述するドラム側凸部７５と衝突した後に、クリックドラム６０を略３６０度（３６０度を含む）回転させることが可能となるような角度範囲に亘って設けられている。ただし、かかる角度範囲以外に亘って周状突起部６４が設けられていても良い。
【００３９】
また、クリックドラム６０には、回転軸２５を挿通させる挿通孔６５が設けられているが、その挿通孔６５には嵌合孔６５ａが設けられている（図６、図７参照）。嵌合孔６５ａは、回転軸２５の外周形状に対応した形状に設けられている。本実施の形態では、回転軸２５は、六角形の外周形状に設けられているため（図４および図５参照）、嵌合孔６５ａも六角形の孔形状に設けられている（図７参照）。それにより、クリックドラム６０は回転軸２５に対して相対的に移動しない状態で、回転軸２５と共に回転する。なお、挿通孔６５のうち円筒部６３側（Ｘ２側）の部位は、丸孔形状の円孔６５ｂとなっている。
【００４０】
図４に示すように、被伝達軸７０もクリックドラム６０と同様に回転軸２５に挿通されるが、この被伝達軸７０は、回転軸２５においてクリックドラム６０のフランジ部６２側（Ｘ１側）に隣接して配置される。なお、被伝達軸７０は、回転体に対応する。
【００４１】
図９に示すように、被伝達軸７０は、円筒状の円筒部７１を有している。さらに被伝達軸７０は、フランジ部７２と、ドラム係合部７３と、ケース係合部７４とが設けられている。フランジ部７２は、円筒部７１の外周面のうち被伝達軸７０の軸線方向（Ｘ方向）における途中部分に設けられている。このフランジ部７２は、下ケース８０と上ケース９０とで形成される内部空間Ｓにおける軸線方向（Ｘ方向）の位置を規定する機能を有すると共に、その内部空間Ｓの内壁面に当接することで、被伝達軸７０の軸受としての機能も有する。図４および図９に示すように、フランジ部７２は、円筒部７１の軸線方向（Ｘ方向）の中央よりもクリックドラム６０側（Ｘ２側）に偏った位置に設けられている。
【００４２】
被伝達軸７０のうちフランジ部７２よりもクリックドラム６０側（Ｘ２側）には、ドラム係合部７３が設けられている。ドラム係合部７３は、円筒部７１のうちフランジ部７２よりもクリックドラム６０寄りの部分（分割円筒部７１ａ）と、円筒部７１から径方向の外側に向かい突出するドラム側凸部７５とを有している。図９に示すように、本実施の形態では、ドラム側凸部７５は２つ設けられていて、それら２つのドラム側凸部７５の間隔は、周状突起部６４と衝突した後に、クリックドラム６０を略３６０度（３６０度を含む）回転させることが可能となるような間隔に設けられている。図９では、そのような間隔として、略９０度の場合が示されている。ただし、ドラム側凸部７５の間隔としては、上述の間隔以外の間隔としても良い。なお、ドラム側凸部７５は、第２係合部および第１凸部に対応する。
【００４３】
２つのドラム側凸部７５のそれぞれは、周状突起部６４と衝突する部分である。この衝突によって、被伝達軸７０は下ケース８０および上ケース９０に対して回転させられる。なお、周状突起部６４は、分割円筒部７１ａの外周側のうち２つのドラム側凸部７５の間の間隔が広い側（外周遊嵌部７６）に位置する。そのため、周状突起部６４が外周遊嵌部７６においてドラム側凸部７５に衝突するまでの間、クリックドラム６０は被伝達軸７０に対し相対的に回転可能となっている。
【００４４】
また、図９に示すように、被伝達軸７０のうちフランジ部７２を挟んでクリックドラム６０とは反対側（Ｘ１側）には、ケース係合部７４が設けられている。ケース係合部７４は、円筒部７１のうちフランジ部７２からクリックドラム６０とは反対側（Ｘ１側）に向かう部分（分割円筒部７１ｂ）と、円筒部７１から径方向の外側に向かい突出する衝突凸部７７とを有している。なお、衝突凸部７７は、第３係合部および第２凸部に対応する。
【００４５】
衝突凸部７７は、フランジ部７２を始点として、そのフランジ部７２から分割円筒部７１ｂの外周面の途中部分までに亘るように設けられている。そして、分割円筒部７１ｂのうち衝突凸部７７の先端部から円筒の端部（Ｘ１側の端部）の間の部分は、下ケース８０と上ケース９０の開口部Ａ２（図６参照）の内壁面と接触し、それにより円筒部７１はフランジ部７２と共に被伝達軸７０の軸受としての機能も有している。
【００４６】
なお、図９に示すように、本実施の形態では、衝突凸部７７は、フランジ部７２を挟んで、ドラム側凸部７５と同一の直線に沿うように位置している。そのため、２つの衝突凸部７７の間隔は、上述のドラム側凸部７５と同様であるので、その詳細についての説明は省略する。
【００４７】
次に下ケース８０について説明する。図１および図２に示すように、下ケース８０は、上ケース９０と共に、ヘッドボックス２０内の一端側（図１および図２のＸ２側）の部位に取り付けられている。この下ケース８０は、ケース体の一部に対応し、上ケース９０と共にケース体を構成する。また下ケース８０は、上ケース９０と共に内部空間Ｓを形成し、その内部空間ＳのＸ方向の両端の開口部Ａ１，Ａ２（図６参照）からは回転軸２５が挿通されている。この内部空間Ｓには、クリックドラム６０と被伝達軸７０とが配置され、それらは回転軸２５の外周側に配置されている。なお、一端側の開口部Ａ１からは円筒部６３の一部が突出している。
【００４８】
下ケース８０には、内部空間Ｓの略半分の空間（分割空間８１）が設けられていて、その分割空間８１の開口部Ａ１，Ａ２側では、開口径を狭めてその開口部Ａ１，Ａ２の内壁面で円筒部６３，７１ｂを軸支するように壁部が分割空間８１の他の部分よりも突出して設けられている。また、分割空間８１にはフランジ部６２を嵌め込むフランジ凹部８２が設けられている。この嵌め込みにより、クリックドラム６０のＸ方向における位置が定められる。
【００４９】
また分割空間８１のうちクリックドラム６０から離れる側（Ｘ１側）には、規制突起部８３が設けられている。規制突起部８３は、第４係合部およびケース側係合部に対応する。この規制突起部８３は、衝突凸部７７と衝突して被伝達軸７０の回転を規制する部分である。そして、かかる被伝達軸７０の回転の規制によって、クリックドラム６０の回転も規制可能となっている。規制突起部８３は、周状突起部６４と同様に周状に設けられていて、被伝達軸７０を介してクリックドラム６０を略３６０度（３６０度を含む）回転させることが可能となるような角度範囲に亘って設けられている。なお、図１０に示す構成では、規制突起部８３の内周面は開口部Ａ２の内壁面と一体的に設けられている。
【００５０】
図１０に示すように、内部空間Ｓにはポケット部８４が連通して設けられている。ポケット部８４は内部空間Ｓから円形状に凹んだ形状に設けられた、押しバネ１００およびクラッチボール１１０を収納する部分である。このポケット部８４の底部側（Ｚ２側）では、押しバネ１００の下端が受け止められ、他方で押しバネ１００の上端側（Ｚ１側）にはクラッチボール１１０が配置される。それにより、クラッチボール１１０には押しバネ１００によって、上方側（ボール摺動部６１側；Ｚ１側）に向かう付勢力が与えられる。
【００５１】
なお、押しバネ１００は、たとえばコイルスプリングであるが、たとえば板バネ、捩じりバネ、ゴム等を始めとして、コイルスプリング以外の付勢手段を用いるようにしても良い。また、クラッチボール１１０は樹脂を材質とする球状部材であるが、たとえば先端が尖形状となる球状部材以外の部材を用いたり、コロを用いたりしても良い。なお、押しバネ１００は、付勢部材に対応する。また、クラッチボール１１０は、摺動部材に対応する。
【００５２】
図７および図１０に示すように、下ケース８０のそれぞれの外壁には、それぞれフック８５が設けられていて、このフック８５を介して下ケース８０に上ケース９０（ケース体の一部に対応）が取り付けられる。上ケース９０にも、内部空間Ｓの略半分の空間（分割空間９１）が設けられている。図６に示すように、分割空間９１の開口部Ａ１，Ａ２側では、開口径を狭めてその開口部Ａ１，Ａ２の内壁面で円筒部６３，７１ｂを軸支するように壁部が分割空間９１の他の部分よりも突出して設けられている。また、下ケース８０と同様に、上ケース９０の分割空間９１にも、フランジ部６２を嵌め込むフランジ凹部９２が設けられている。
【００５３】
＜動作について＞
次に、上述のような構成の横型ブラインド１０の動作について、以下に説明する。
【００５４】
ユーザが操作ポール４０を把持し、その操作ポール４０を回転させると、その回転力は、ウォームおよびウォームホイールを介して回転軸２５に与えられ、回転軸２５が回転させられる。その回転軸２５には支持ドラム２２が取り付けられているので、その回転力は支持ドラム２２に与えられる。この支持ドラム２２には、ラダーコードＲ１の上端側（Ｚ１側）が取り付けられているため、操作ポール４０の回転により支持ドラム２２は回転させられる。そして、回転の向きおよび回転量に応じて、ラダーコードＲ１を介してスラット３０の角度が変化させられる。なお、スラット３０は、図１１（Ａ）〜（Ｅ）に示すように、全閉となる位置から逆全閉の位置までの間で、角度を変化させることを可能としている。
【００５５】
また、操作ポール４０を介しての回転軸２５の回転により、クリックドラム６０も回転軸２５と共に一体的に回転させられる。クリックドラム６０が回転すると、ボール摺動部６１の凸部６１ｂがクラッチボール１１０を介して押しバネ１００による付勢力を受け、それがクリックドラム６０の回転抵抗となる。そのため、クリックドラム６０に回転軸２５等からの回転力が与えられない場合には、クラッチボール１１０は最小径部６１ａに当接するようにボール摺動部６１に位置し、その状態を保持する。
【００５６】
なお、クラッチボール１１０が凸部６１ｂを乗り越える場合には、押しバネ１００の付勢力により回転軸２５をいずれかの向きに回転させる力が及ぼされると共に、その乗り越えに際してクリック音が発生する。このクリック音は、たとえばクラッチボール１１０がボール摺動部６１に衝突することにより発生するが、他の原因によって発生するものであっても良い。かかるクリック音の発生により、ユーザは、スラット３０の角度が変化したことを認識可能となっている。なお、クリック音以外にも、クリックの際に押しバネ１００によって与えられる感触も生じるが、その感触とクリック音とを含めて、クリック感と称呼するようにしても良い。
【００５７】
このような回転軸２５の回転を継続させると、クリックドラム６０の周状突起部６４の端部に、被伝達軸７０の一方のドラム側凸部７５が衝突し、その衝突後もさらに回転軸２５の回転によってクリックドラム６０が回転すると、そのクリックドラム６０の回転に伴って被伝達軸７０が回転させられる。この回転が継続すると、被伝達軸７０の他方の衝突凸部７７が規制突起部８３に衝突する。この衝突以後、被伝達軸７０は回転を継続することが不可能となる。
【００５８】
なお、回転軸２５が逆方向に回転する場合も、その動作は、上述と同様である。
【００５９】
以上のような、クリックドラム６０が回転する場合の被伝達軸７０と規制突起部８３との位置関係を、図１１に示す。図１１では、上段はドラム係合部７３の側面断面図を示し、中段はケース係合部７４と下ケース８０の側面断面図を示し、下段はスラット３０の向きを示している。以下では、図１１（Ａ）において下方のドラム側凸部７５をドラム側凸部７５ａ、上方のドラム側凸部７５をドラム側凸部７５ｂとする。また図１１（Ａ）において下方の衝突凸部７７を衝突凸部７７ａ、上方の衝突凸部７７を衝突凸部７７ｂとする。
【００６０】
図１１（Ａ）に示すとき、スラット３０は、その幅方向が上下方向（Ｚ方向）に沿う全閉位置にあり、そのとき被伝達軸７０の衝突凸部７７ａは規制突起部８３に衝突している。またこのとき、さらに回転軸２５をスラット３０が図１１（Ｂ）に向かうのとは逆側（反時計回り）に回転させると、ドラム側凸部７５ｂには周状突起部６４が衝突する状態となる。ただし、その逆側へ向けた回転を緩めると、ドラム側凸部７５ｂは周状突起部６４に対して若干の隙間を有した位置に留まるか、または周状突起部６４に衝突した状態を維持する。
【００６１】
この図１１（Ａ）において時計回りに９０度回転軸２５を回転させると、クラッチボール１１０は凸部６１ｂを乗り越えてクリック感を生じさせた後に、図１１（Ｂ）に示す位置に位置する状態となる。このとき、スラット３０は全閉から全開に向かって４５度回転した状態となっている。またこのとき、周状突起部６４はドラム側凸部７５ｂから離れるため、クリックドラム６０は回転軸２５と共に回転させられるものの、被伝達軸７０は回転せずに図１１（Ａ）と同じ回転位置を保持する状態となる。
【００６２】
さらに図１１（Ｂ）において時計回りに９０度回転軸２５を回転させると、クラッチボール１１０は凸部６１ｂを乗り越えてクリック感を生じさせた後に、図１１（Ｃ）に示す位置に位置する状態となる。このとき、スラット３０は全開（水平）となる位置に位置している。なお、図１１（Ｂ）から図１１（Ｃ）に移行する過程では、周状突起部６４はドラム側凸部７５ａ，７５ｂに衝突しないため、クリックドラム６０が回転しても被伝達軸７０は回転せずに図１１（Ａ）と同じ回転位置を保持する状態となる。ただし、図１１（Ｃ）に示す状態のときには、ドラム側凸部７５ａは周状突起部６４に対して若干の隙間を有した位置に留まるか、または周状突起部６４に衝突した状態を維持する。
【００６３】
図１１（Ｃ）においてさらに時計回りに９０度回転軸２５を回転させると、クラッチボール１１０は凸部６１ｂを乗り越えてクリック感を生じさせた後に、図１１（Ｄ）に示す位置に位置する状態となる。このとき、スラット３０はさらに４５度回転させられる（逆４５度の位置に位置する状態となる）。また、図１１（Ｃ）から図１１（Ｄ）に移行する際には、ドラム側凸部７５ａと周状突起部６４との間の衝突により、被伝達軸７０は同じく時計回りに９０度回転させられる。
【００６４】
図１１（Ｄ）において時計回りに９０度回転軸２５を回転させると、クラッチボール１１０は凸部６１ｂを乗り越えてクリック感を生じさせた後に、図１１（Ｅ）に示す位置に位置する状態となる。このとき、スラット３０はさらに４５度回転させられて、幅方向が鉛直に沿う全閉位置にある。ただし、この全閉位置は、図１１（Ａ）に示す全閉位置とは１８０度異なる位置であるため、以後の説明では、図１１（Ｅ）に示すスラット３０の位置を逆全閉位置と称呼する。また、図１１（Ｄ）から図１１（Ｅ）に移行する場合も、ドラム側凸部７５ａと周状突起部６４との間の衝突により、被伝達軸７０は時計回りに９０度回転させられる。
【００６５】
なお、図１１（Ｅ）に示す状態からさらに時計回りに回転軸２５を回転させようとする場合、衝突凸部７７ｂは規制突起部８３に衝突するので、それ以上回転しない。それによって、クリックドラム６０および回転軸２５も、これ以上は回転しない状態となる。
【００６６】
以上のように、回転軸２５およびクリックドラム６０は、図１１（Ａ）から図１１（Ｅ）に示すまでの間である３６０度回転させることを可能としている。
【００６７】
＜効果＞
以上のような構成の横型ブラインド１０によると、従来の特許文献１のように、ボール収納部にボールが位置し、このボールを利用して回転軸の回転規制を行うものではなく、被伝達軸７０の衝突凸部７７が下ケース８０の規制突起部８３に衝突することにより、回転軸２５の回転規制を行うものとなっている。そのため、特許文献１のように、円形中空部の内壁面と突起との間の隙間が大きい場合や、突起とボール収納部との間の隙間が大きい場合のようにボールが噛んでしまい、回転に支障が生じるのを防止可能となる。
【００６８】
また、本実施の形態では、回転軸２５と一体的に回転するクリックドラム６０の回転規制を直接行うものではなく、回転軸２５に対して一体的には回転しない被伝達軸７０を介在させ、その被伝達軸７０の回転規制によってクリックドラム６０および回転軸２５の回転規制を行う構成となっている。そのため、回転軸２５の回転可能な範囲として、被伝達軸７０がないとした場合にクリックドラム６０が下ケース８０に対して回転可能な範囲に加えて、被伝達軸７０が下ケース８０に対して回転可能な範囲が加算される状態となる。そのため、回転軸２５の回転が許容される角度範囲を大きくすることが可能となる。
【００６９】
特に、本実施の形態では、以下のような構成を採用している。すなわち、クリックドラム６０には周状突起部６４が設けられ、被伝達軸７０にはドラム側凸部７５および衝突凸部７７が設けられ、下ケース８０には規制突起部８３が設けられている。そして、回転軸２５の回転によって被伝達軸７０に対してクリックドラム６０が相対的に回転する場合に、周状突起部６４はドラム側凸部７５と衝突可能に設けられていて、その衝突後にクリックドラム６０は被伝達軸７０と共に回転する。ただし、被伝達軸７０の衝突凸部７７が規制突起部８３と衝突した場合には、規制突起部８３と干渉する向きへの被伝達軸７０の回転が規制される。このような構成を採用することにより、回転軸２５の回転規制は行うものの、該回転軸２５の回転が許容される角度範囲を大きくすることが可能となる。
【００７０】
また、本実施の形態では、クリックドラム６０には、ボール摺動部６１が設けられ、このボール摺動部６１には、最小径部６１ａおよび凸部６１ｂが設けられている。さらに、ボール摺動部６１には押しバネ１００によってクラッチボール１１０が押し付けられている。このため、回転軸２５を回転させて、クラッチボール１１０が凸部６１ｂを乗り越える際に、クリック音を伴うクリック感を生じさせることができ、そのクリック感の発生により、ユーザは、スラット３０の角度が変化したことを認識可能となる。
【００７１】
ここで、クリック感を発生させる手段としては、特許文献２に示す構成のように、延長部の薄壁部分に突起を設け、その突起を円形開口の凹凸部に押し当てる方式を採用することも可能であるが、このような構成では、長期に亘って使用するうちに薄壁部分が劣化してしまい、薄壁部分によって生じるクリック感が低下する虞がある。そのため、所望のクリック感が得られなくなることによって、位置決めの機能が低下する虞がある。
【００７２】
しかしながら、本実施の形態では、クリック感を発生させる手段として、ボール摺動部６１に対して押しバネ１００によってクラッチボール１１０を押し付ける方式を用いている。このため、薄壁部分の劣化のような問題は生じなく、長期に亘って良好なクリック感を得ることが可能となる。また、ボール摺動部６１に対して押しバネ１００によってクラッチボール１１０を押し付けることによる位置決め機能においても、上述の劣化の問題はないため、長期に亘って良好な位置決め機能を奏させることが可能となる。
【００７３】
さらに、本実施の形態では、複数の凸部６１ｂの中には、衝突凸部７７が規制突起部８３と衝突して、回転軸２５の回転位置が規制される直前に、クラッチボール１１０が乗り越えてクリック感を生じさせるものがある。このため、ユーザは、回転軸２５の回転可能な範囲の終端を認識することが可能となり、無理に回転軸２５を回転させる等の不具合が生じるのを防止可能となる。
【００７４】
また、本実施の形態では、複数の最小径部６１ａの中には、スラット３０が全開位置となる際にクラッチボール１１０が位置するものと、スラット３０が図１１（Ａ）に示すような全閉位置となる際にクラッチボール１１０が位置するものと、スラット３０が図１１（Ｅ）に示すような全閉位置（逆全閉位置）となる際にクラッチボール１１０が位置するものとが存在している。このため、回転軸２５の回転終端における位置決め（位置保持）を良好に行わせることが可能となる。
【００７５】
さらに、本実施の形態では、クリックドラム６０には周状突起部６４が設けられ、下ケース８０には規制突起部８３が設けられている。さらに、被伝達軸７０には、周状突起部６４と衝突するドラム側凸部７５と、規制突起部８３と衝突する衝突凸部７７とが設けられている。そのため、回転軸２５の回転に伴ってクリックドラム６０を所定だけ回転させると、周状突起部６４とドラム側凸部７５とが衝突し、その衝突により被伝達軸７０を回転させることが可能となる。このとき、周状突起部６４とドラム側凸部７５とが衝突するまでには所定の角度範囲だけ回転軸２５を回転させることが可能であるため、回転軸２５の回転が許容される角度範囲を大きくすることが可能となる。また、周状突起部６４とドラム側凸部７５、および衝突凸部７７と規制突起部８３との間の衝突により、回転軸２５の回転規制を確実に行うことが可能となる。
【００７６】
また、本実施の形態では、クラッチボール１１０は、下ケース８０のポケット部８４に収納されているが、このクラッチボール１１０はクリックドラム６０の回転に伴ってボール摺動部６１へ摺動しながらポケット部８４の内部を移動する。加えて、クラッチボール１１０は、ポケット部８４の内部でクリックドラム６０の径方向に移動する。この場合には、クラッチボール１１０がクリックドラム６０の回転中心に接離する方向に移動することになるため、クリックドラム６０の正転および逆転のいずれの場合でも、クリックドラム６０の回転に伴うクラッチボール１１０の摺動性は同様となり、いずれの回転でも同様のクリック感を得ることが可能となる。
【００７７】
なお、クラッチボール１１０が上下方向（Ｚ方向；ラダーコードＲ１を張設した際に複数のスラット３０が並ぶ方向）に移動する場合には、クラッチボール１１０が幅方向（Ｙ方向）に移動する場合と比較して、ヘッドボックス２０の幅をコンパクトにすることが可能となる。すなわち、本実施の形態の横型ブラインド１０では、幅方向（Ｙ方向）の寸法が増大するのを抑えながら、回転軸２５の回転が許容される角度範囲を大きくすることが可能となっている。
【００７８】
（第２の実施の形態）
以下、本発明の第２の実施の形態に係る横型ブラインド１０について、図面に基づいて説明する。なお、本実施の形態における横型ブラインド１０は、クリックユニット５０Ａ以外は、上述の第１の実施の形態における横型ブラインド１０と同様の構成を有している。したがって、以下の説明では、クリックユニット５０Ａに関して説明し、その他の部分の説明は省略する。なお、本実施の形態においては、クリックユニット５０Ａ以外の部分については、上述の第１の実施の形態の各部分と同様の符号を用いて説明する。
【００７９】
図１２に示すように、本実施の形態においては、クリックユニット５０Ａを構成するクリックドラム６０Ａの構成が、上述した第１の実施の形態におけるクリックドラム６０と異なっている。図１３に示すように、本実施の形態では、クリックドラム６０Ａのボール摺動部６１Ａには、２つの凸部６１ｂが設けられている。そして、２つの凸部６１ｂの間には、２つの最小径部６１ａが存在している。ただし、２つの最小径部６１ａのうち、一方の最小径部６１ａ１の周長は短く、他方の最小径部６１ａ２の周長は長く設けられている。
【００８０】
ここで、他方の最小径部６１ａ２にクラッチボール１１０が位置しているときには、回転軸２５は回転終端には至らずに、回転力の付与に応じて回転可能となっている。しかしながら、他方の最小径部６１ａ２から凸部６１ｂを乗り越えて（このときクリック感が生じる）、一方の最小径部６１ａ１にクラッチボール１１０が位置するときには、回転軸２５は回転終端に至り、それ以上の回転は規制される。
【００８１】
すなわち、凸部６１ｂは、クリック感の発生によって、回転軸２５の回転終端に至ったことを知らせる機能を有している。ただし、他方の最小径部６１ａ２にクラッチボール１１０が位置する場合には、当該クラッチボール１１０の位置は定められず、かかる他方の最小径部６１ａ２の周長の範囲内で、クラッチボール１１０は自由に摺動することが可能となっている。
【００８２】
このような構成のクリックユニット５０Ａを有する横型ブラインド１０においては、上述の第１の実施の形態における横型ブラインド１０と同様に、クリックドラム６０Ａおよび被伝達軸７０を介して、回転軸２５の所定角度以上の回転を規制することが可能となる。また、回転軸２５の回転可能な範囲として、クリックドラム６０Ａが回転可能な範囲に加えて、被伝達軸７０が回転可能な範囲が加算される状態となるため、回転軸２５の回転が許容される角度範囲を大きくすることが可能となる。
【００８３】
さらに、本実施の形態では、他方の最小径部６１ａ２の周長の範囲内でクラッチボール１１０は自由に摺動できるため、その周長の範囲内ではスラット３０の角度を自由に変更することが可能となる。
【００８４】
＜変形例＞
以上、本発明の各実施の形態について説明したが、本発明はこれ以外にも種々変形可能となっている。以下、それについて述べる。
【００８５】
上述の各実施の形態においては、被伝達軸７０は１つのみ設けられる構成を採用している。しかしながら、被伝達軸を２つ以上用いて、クリックユニットを構成するようにしても良い。ただし、このような被伝達軸を２つ以上用いる構成を採用する場合においては、中間位置に位置する被伝達軸の構成を若干変更する必要がある。すなわち、図１４に示すように、クリックドラム６０と被伝達軸７０の間や、被伝達軸７０同士の間といった中間位置に位置する被伝達軸７０Ｂ（中間被伝達軸７０Ｂ）においては、フランジ部７２からクリックドラム６０側（Ｘ２側）の円筒部７１にはドラム側凸部７５が設けられる。しかし、衝突凸部７７は設けられない。その代り、フランジ部７２からは、周状突起部６４と同様の突起部７８が、クリックドラム６０とは反対側（Ｘ１側）に向かい延伸するように構成する。
【００８６】
ここで、突起部７８は弧状以外に、たとえば所定角度の一端と他端とを規定するように２つ以上設ける構成を採用しても良く、ピン状等のような他の形態を採用しても良い。また、突起部７８は９０度より小さな角度範囲に亘って設けられている。具体的には、突起部７８は、ドラム側凸部７５と衝突した後にクリックドラム６０を略３６０度（３６０度を含む）回転させることが可能となるような角度範囲に亘って設けられている。ただし、かかる角度範囲以外に亘って突起部７８が設けられていても良い。
【００８７】
このような構成の中間被伝達軸７０Ｂを用いる場合、その用いる個数分だけ、回転軸２５の回転角度を大きくすることが可能となる。
【００８８】
また、上述の各実施の形態では、クリックユニット５０は、被伝達軸７０を有するものとしている。しかしながら、クリックユニット５０としては、被伝達軸７０を備えない構成を採用しても良い。このように構成する場合には、被伝達軸７０が存在しないため、回転軸２５の回転角度を大きくすることはできない。しかしながら、クリックドラム６０のボール摺動部６１にクラッチボール１１０が押しバネ１００の付勢力を受けた状態で当接するため、クラッチボール１１０が凸部６１ｂを乗り越えた際に、クリック感を良好に生じさせることが可能となる。
【００８９】
また、上述の各実施の形態では、日射遮蔽装置として、横型ブラインド１０に本発明が適用された場合について説明している。しかしながら、本発明が適用される日射遮蔽装置は、横型ブラインド１０には限られず、縦型ブラインドに本発明を適用するようにしても良い。
【００９０】
また、上述の各実施の形態では、回転軸２５の回転終端に対応する凸部６１ｂが、それぞれの回転方向に存在している。すなわち、回転軸２５を時計回りに回転させた場合の回転終端に対応する凸部６１ｂと、回転軸２５を反時計回りに回転させた場合の回転終端に対応する凸部６１ｂとがクリックドラム６０のボール摺動部６１には設けられている。しかしながら、時計回りと反時計回りのいずれか一方のみの回転終端に対応する凸部６１ｂを設けるように構成しても良い。
【００９１】
また、上述の第１の実施の形態では、クリックドラム６０の周方向に沿って８つの最小径部６１ａと凸部６１ｂとが設けられている。しかしながら、最小径部６１ａと凸部６１ｂの個数は８つに限られるものではない。たとえば、スラット３０が全開位置となる際にクラッチボール１１０が位置決め保持される最小径部６１ａと、スラット３０が全閉位置（第１の全開位置）となる際にクラッチボール１１０が位置決め保持される最小径部６１ａと、スラット３０が逆全閉となる位置（第２の全開位置）となる際にクラッチボール１１０が位置決め保持される最小径部６１ａとが存在し、それらに対応する凸部６１ｂが設けられる構成を採用しても良い。
【００９２】
また、本実施の形態では、クリックユニット５０には、クリック感を生じさせるためのクリックドラム６０が設けられている。しかしながら、クリックドラムに凸部６１ｂが存在する構成とはしないと共に、押しバネ１００およびクラッチボール１１０を省略する構成を採用するようにしても良い。このように構成する場合には、回転軸２５を回転させてもクリック感が得られないため、回転終端に回転軸２５が位置しているのか、またはスラット３０が所定の傾斜角度となっているのかは不明である。しかしながら、回転軸２５の回転範囲を大きくすることは可能である。
【符号の説明】
【００９３】
１０…横型ブラインド（日射遮蔽装置に対応）、２０…ヘッドボックス、２２…支持ドラム、２５…回転軸、２６…ギヤボックス、３０…スラット、４０…操作ポール（操作部位に対応）、５０，５０Ａ…クリックユニット、６０，６０Ａ…クリックドラム（嵌合体に対応）、６１，６１Ａ…ボール摺動部（摺動部に対応）、６１ａ…最小径部（凹部に対応）、６１ｂ…凸部、６２，７２…フランジ部、６３…円筒部、６３ａ…凹部、６４…周状突起部（第１係合部に対応）、６５…挿通孔、６５ａ…嵌合孔、６５ｂ…円孔、７０…被伝達軸（回転体に対応）、７０Ｂ…中間被伝達軸、７１…円筒部、７１ａ，７１ｂ…分割円筒部、７３…ドラム係合部、７４…ケース係合部、７５…ドラム側凸部（第２係合部および第１凸部に対応）、７６…外周遊嵌部、７７…衝突凸部（第３係合部および第２凸部に対応）、７８…突起部、８０…下ケース（ケース体の一部に対応）、８１，９１…分割空間、８２…フランジ凹部、８３…規制突起部（第４係合部およびケース側係合部に対応）、８４…ポケット部、９０…上ケース（ケース体の一部に対応）、９２…フランジ凹部、１００…押しバネ（付勢部材に対応）、１１０…クラッチボール（摺動部材に対応）、Ａ１，Ａ２…開口部、Ｒ１…ラダーコード（コード部材に対応）、Ｒ２…昇降コード、Ｓ…内部空間
【図１】
2014001534.tif 000003
【図２】
2014001534.tif 000004
【図３】
2014001534.tif 000005
【図４】
2014001534.tif 000006
【図５】
2014001534.tif 000007
【図６】
2014001534.tif 000008
【図７】
2014001534.tif 000009
【図８】
2014001534.tif 000010
【図９】
2014001534.tif 000011
【図１０】
2014001534.tif 000012
【図１２】
2014001534.tif 000013
【図１３】
2014001534.tif 000014
【図１４】
2014001534.tif 000015
【図１１】
2014001534.tif 000016